(57)【要約】【課題】見開き原稿の分割コピーにおいて原稿の向きを上下左右いずれのセット状態としても、出力画像を一定の向きで、分割コピー出力順序を一定とする。【解決手段】キー操作により原稿Ａのセット状態Ｂ，Ｃ，Ｄ，Ｅ（上下左右に向く）いずれかを指示し、指示に応じて原稿の第一面Ａ１、第二面Ａ２の順でこの２枚の分割画像に対応するスキャナの有効読取り領域を変更・設定する。セット状態Ｂ，Ｃの場合、ｂ１，ｂ２／ｃ１，ｃ２領域の順に読取ることにより副走査方向に分割し、Ｄ，Ｅの場合、ｄ１，ｄ２／ｅ１，ｅ２領域の順に読取ることにより主走査方向に分割し、また、全ての出力を原稿Ａ  の向きにするために像回転を行い、Ｃの場合１８０度、Ｄ，Ｅの場合±９０度とすると、ページ順が逆になったり、見開き部分で分割出来なかったりすることなく、一定の向きでコピー出力を行うことを可能にする。【選択図】    図１０
2004320581.tif 000002
【特許請求の範囲】
【請求項１】
原稿読み取り手段と、原稿の分割領域の画像形成を指示する手段と、読み取られた原稿画像に基づいて指示された分割領域の画像を形成する手段を有する画像形成装置であって、原稿のサイズを検出する手段と、原稿読み取り位置にセットする原稿の方向を設定条件として指示する手段と、検出された原稿サイズ及び設定された原稿の方向によって各分割領域に対応する読み取り領域を指示する手段と、画像形成に用いる画像として出力すべく、設定された原稿の方向によって読み取られた原稿画像を回転させる手段を備えたことを特徴とする画像形成装置。
【請求項２】
請求項１に記載された画像形成装置において、読み取った原稿画像を記憶する手段を備え、原稿画像を回転させる前記手段として、原稿画像記憶手段に画像を記憶する際に該画像を回転させる手段、該画像記憶手段に記憶された画像信号を読み出す時に該画像信号を回転させる手段の少なくとも一方の手段を用いることを特徴とする画像形成装置。
【請求項３】
請求項１又は２に記載された画像形成装置において、設定条件として原稿の方向を指示する上記手段により指示される方向を上下、左右の各方向としたことを特徴とする画像形成装置。
【請求項４】
請求項１乃至３のいずれかに記載された画像形成装置において、画像形成に用いるデータを出力する際に、原稿読み取り位置にセットする原稿の方向が互いに反対を向く原稿に対して各原稿分割領域の出力順序を逆にする手段を備えたことを特徴とする画像形成装置。
【請求項５】
請求項１乃至４のいずれかに記載された画像形成装置において、設定された変倍率により原稿画像を変倍する画像変倍手段を有し、見開き原稿画像に対し変倍率が設定されたときに、検出された原稿サイズ及び設定された変倍率により、画像形成に用いる最適な用紙サイズを指示する手段を備えたことを特徴とする画像形成装置。
【発明の詳細な説明】
【０００１】
【発明の属する技術分野】
本発明は、見開き原稿のような複数の画像領域を分かち持つ原稿から分割画像を独立の媒体（用紙）に形成する機能を有する画像形成装置（例えば、複写機や複写機をベースにした多機能機等）に関し、より特定すると、原稿読み取り位置にセットする原稿の方向の自由度を高め、様々な原稿に上記分割機能を適用し得るようにした画像形成装置に関する。
【０００２】
【従来の技術】
近年、複写機等の画像形成装置においては、アナログ機からデジタル機へ急速に切り替わろうとしており、普及しつつあるデジタル機においては、画像の集約（画像合成）、分割等の機能の付加に例示されるように、デジタル方式特有の機能も多く搭載されている。
画像分割機能は、見開き原稿を分割することを意図した方法として従来から提案されており、例えば、下記特許文献１，２を例示することができる。
見開きの状態で原稿台上にセットされた原稿を分割コピー（ページ連写）する従来装置においては、画像読み取り装置の移動範囲を分けることにより副走査方向に原稿の領域を分割する方法が一般的であり、特許文献１にその例を見ることができる。なお、特許文献１には、見開きモードにより作成された複写物であることを示す識別マークを該複写物に付与する手段について開示されている。
しかしながら、上記したように、副走査方向に原稿の領域を分割する方法を採用する場合には、原稿台上にセットする原稿の方向を規定しないと所望の分割コピー（ページ連写）が得られない。従って、この方法によると、適正な動作をさせるためにユーザに負担がかかり、使い勝手が良くない。
そこで、特許文献２では、副走査方向に原稿の領域を分割するような状態（縦長）にセットするだけでなく、縦長、横長セットのいずれであっても、分割コピーをすることができるようにするという方法を採用している。この例では、原稿の長手方向を検知することにより縦長、横長セット状態を検出し、夫々のセット状態により主走査又は副走査の走査範囲を各分割領域に応じて有効にする、という方法により実現している。
【０００３】
【特許文献１】
特開平６−３５０７８７号公報
【特許文献２】
特開昭６４−７０６０号公報
【０００４】
【発明が解決しようとする課題】
しかしながら、上記特許文献２によれば、原稿を縦、横のいずれの状態にセットしたとしても、適正に画像領域を分割したコピーが可能になるが、セット状態は、上下或いは左右の向きは規定されないので、セット状態によっては出力される画像の向きや、それぞれ分割して出力される画像の順序が変わってしまう。従って、ユーザは、意に反して逆向きの画像になった複写物、或いはページ順の決まった文書などの場合においてはページ順が逆になって重ねられた複写物を手にする、といった不具合が生じる結果となる。
本発明は、見開き原稿のような複数の画像領域を分かち持つ原稿から分割画像を独立の媒体（用紙）に形成する機能を有する画像形成装置における従来技術の上記した問題点に鑑みてなされたもので、その目的は、原稿の向きを上下或いは左右、いずれのセット状態をとっても、出力される画像が一定の向きになり、また分割画像の出力順序が一定となるようにすることにある。
【０００５】
【課題を解決するための手段】
請求項１の発明は、原稿読み取り手段と、原稿の分割領域の画像形成を指示する手段と、読み取られた原稿画像に基づいて指示された分割領域の画像を形成する手段を有する画像形成装置であって、原稿のサイズを検出する手段と、原稿読み取り位置にセットする原稿の方向を設定条件として指示する手段と、検出された原稿サイズ及び設定された原稿の方向によって各分割領域に対応する読み取り領域を指示する手段と、画像形成に用いる画像として出力すべく、設定された原稿の方向によって読み取られた原稿画像を回転させる手段とを備えたことを特徴とする画像形成装置である。
【０００６】
請求項２の発明は、請求項１に記載された画像形成装置において、読み取った原稿画像を記憶する手段を備え、原稿画像を回転させる前記手段として、原稿画像記憶手段に画像を記憶する際に該画像を回転させる手段、該画像記憶手段に記憶された画像信号を読み出す時に該画像信号を回転させる手段の少なくとも一方の手段を用いることを特徴とするものである。
請求項３の発明は、請求項１又は２に記載された画像形成装置において、設定条件として原稿の方向を指示する上記手段により指示される方向を上下、左右の各方向としたことを特徴とするものである。
【０００７】
請求項４の発明は、請求項１乃至３のいずれかに記載された画像形成装置において、画像形成に用いるデータを出力する際に、原稿読み取り位置にセットする原稿の方向が互いに反対を向く原稿に対して各原稿分割領域の出力順序を逆にする手段を備えたことを特徴とするものである。
請求項５の発明は、請求項１乃至４のいずれかに記載された画像形成装置において、設定された変倍率により原稿画像を変倍する画像変倍手段を有し、見開き原稿画像に対し変倍率が設定されたときに、検出された原稿サイズ及び設定された変倍率により、画像形成に用いる最適な用紙サイズを指示する手段を備えたことを特徴とするものである。
【０００８】
【発明の実施の形態】
本発明の画像形成装置を添付する図面とともに示す以下の実施形態に基づき説明する。ここでは、本発明の画像形成装置として複写機への実施形態を例示する。先ず、この実施例に係わる複写機の装置構成及びその動作及び機能の概略について説明をする。
図１は、本発明の画像形成装置の実施形態としての複写機の全体構成を示す概略図である。
図１を参照し、図示の複写機により行われる原稿のコピー処理の動作フローに沿って、本機の装置構成と、原稿の読み取り、画像書き込みという本機の基本的な動作に関して説明する。
先ず、原稿読み取りであるが、本機では自動原稿送り装置（以下「ＡＤＦ」という）と、いわゆる圧板による読み取り動作を行うことを可能にしている。ＡＤＦの動作では、片面原稿と両面原稿の２モードの読み取り動作を行う。片面原稿モードでは、読み取り原稿束が自動原稿送り装置（以下「ＡＤＦ」という）１０１の原稿台１２０に原稿の画像面を上にして置かれ、オペレータにより操作部（図２参照）上のスタートキー２０５が押下されると、分離ローラ１２６により一番下の原稿から給送ベルト１２５、プルアウトローラ１２７、補助ローラ１２８、排紙ローラ１２９によって原稿を送り、その途中の読み取り位置１２２で読み取りユニット１５０により原稿の画像データを読み取る。読み取り終えた原稿を排紙ローラ１２９によって排紙トレイ１２３上に排出する。このとき、反転切り替え爪１３０は作用しないようにＯＦＦ位置におく。なお、上記原稿送りの際に搬送の途中で原稿サイズ検知器１４８により原稿のサイズおよび方向を検知する。
両面原稿モードでは、片面を上記と同様の動作で読み取り終えた後、ＯＮ位置に切り替えた反転切り替え爪１３０の作用により一旦原稿を反転ローラ１３２により反転トレイ１２１に排紙する。そこで反転切り替え爪１３０を又ＯＦＦに切り替え、切り替えた爪１３０の作用により反転した原稿を再びプルアウトローラ１２７、補助ローラ１２８、排紙ローラ１２９により送ることにより、もう一方の面を読み取り位置１２２で読み取りユニット１５０により読み取り、排紙トレイ１２３上に排出する。
一枚の原稿の読み取りを終えた後、原稿セット検知手段１９３が原稿台１０２に次の原稿が在ることを検知すると、前の原稿と同様の読み取り動作を連続して行うことを可能にする。上記したＡＤＦ１０１の原稿送り機構は搬送モータ（図示せず）によって駆動される。
さらに、ＡＤＦを使用しない、圧板により読み取るモードの動作では、ＡＤＦ１０１をヒンジにより開放自在にすることを可能にして、ＡＤＦを開放した後、コンタクトガラス１０６上にブック原稿を載せ、読み取りユニット１５０にスキャン読み取り動作をさせて、圧板による原稿読み取りを行う。なお、このブック原稿読み取りの際には、原稿サイズ検知器１４９により原稿のサイズおよび方向を検知する。
【０００９】
書き込みユニット１５７では、読み取りユニット１５０で読み込まれた画像データに基づいて書き込み用に変換・処理されたデータによりレーザ出力ユニット１５８のレーザ出力が変調され、感光体１１５にレーザ書き込みが行われる。書き込みにより形成された感光体１１５上の静電潜像は現像ユニット１７０を通過することによって、トナー像を形成する。
また、第１トレイ１０８、第２トレイ１０９、第３トレイ１１０に積載された転写紙は、各々第１給紙装置１１１、第２給紙装置１１２、第３給紙装置１１３によって給紙され、縦搬送ユニット１１４によって感光体１１５に接触する位置まで搬送された後、感光体１１５の回転と等速で搬送ベルト１１６によって搬送されながら、紙上に感光体１１５上のトナー画像が転写される。その後、定着ユニット１１７にてトナー画像を定着させ、排紙ユニット１１８によって機外に排出され、排紙トレイ１１９に納まる。
【００１０】
転写紙の両面に画像を作像する場合に、両面給紙ユニット１６１が使用される。両面モードでは、各給紙トレイ１０８〜１１０から給紙され上記の動作に従い作像がなされるが、作像後に転写紙を排紙トレイ１１９側に導かないで、経路切り替えの為の両面分岐爪１６２を上側にセットする事で、一旦両面給紙ユニット１６１にストックする。その後、両面給紙ユニット１６１にストックされた転写紙は再び感光体１１５に作像されたトナー画像を転写する。そのために、両面給紙ユニット１６１から再給紙される。両面転写後、排紙工程では経路切り替えの為の両面分岐爪１６２を下側にセットし、後処理装置１６４を使用するモードがセットされている場合は、経路切り替えの為の排紙口分岐爪１６３を上側にセットする事で、後処理装置１６４に転写紙を排紙する事が出来る。後処理装置を使用しないモードの場合は、上記切り替えの排紙口分岐爪１６３を下側にセットする事で排紙トレイ１１９に導く。
【００１１】
図２は、図１に示す複写機におけるユーザが指令入力を行う操作部の概略図で、図３は、図２中のＬＣＤ表示部の概略図である。
操作部には、図２に示すように、ＬＣＤ表示部（ＬＣＤタッチパネル）２０１、テンキー２０２、初期設定キー２０３、モードクリアキー２０４、プリントキー２０５、クリア／ストップキー２０６が設けられている。ＬＣＤタッチパネル２０１は表示機能と操作キーの機能を持ち、図３に示すように、各モード機能キー３０１〜３１２の表示、セット数３１５、コピー部数３１６、倍率３１７及び画像形成装置の状態３１４を示すメッセージなどが表示されると同時に、タッチパネル方式により各画像形成モードを設定、解除する場合に操作するモードキーが配置されている。ここには、分割キー３１０が配置され、本発明により可能となる、見開き原稿のような複数の画像領域を分かち持つ原稿から分割画像を独立の媒体（用紙）に形成する機能を使用するための分割コピーモードの設定操作をこのキーにより行う。
【００１２】
図５は、本実施形態の複写機に係わる画像形成動作の制御を司るメインコントローラ（ＭＣＵ）５０１を中心とする制御装置の概略ブロック図を示すものである。ＭＣＵ５０１は複写機全体を制御する。ＭＣＵ５０１には、ユーザに対する表示及びユーザの指令（キー入力）による機能（モード）設定に応じた入力制御を行う操作部５０３と、スキャナの制御、原稿画像を画像メモリに書き込む制御及び画像メモリからの画像データをもとに作像の制御等を行う画像処理ユニット（ＩＰＵ）５０２と、原稿自動送り装置（ＡＤＦ）５０７と、後処理制御装置であるソータ５０８、等の分散制御装置が接続されている。各分散制御装置とＭＣＵ５０１は必要に応じて機械の状態、動作指令のやりとりを行う。
また、紙搬送等に必要なメインモータ、各種クラッチもＩ／Ｏボード５０６に接続されており、ＭＣＵ５０１によって、制御されている。
【００１３】
次に、原稿画像から読み取られた画像の潜像が記録面上に形成されるまでの本実施形態の装置による動作を、図１を参照して、より詳細に説明する。なお、潜像とは感光体面上に画像を光情報に変換して照射することにより生じる電位分布である。ここでは、読み取りユニット１５０と書き込みユニット１５７での動作を中心に動作を説明する。
本実施形態の読み取りユニット１５０は、上記したように、ＡＤＦ読み取りのほか、ブック（圧板）原稿読み取りも可能とし、そのための構成として、ブック原稿を載置するコンタクトガラス１０６と光学走査系を備える。光学走査系は、露光ランプ１５１、第１ミラー１５２、結像レンズ１５３、ＣＣＤイメージセンサ１５４等を構成要素とし、露光ランプ１５１及び第１ミラー１５２は図示しない第１キヤリッジ上に固定され、第２ミラー１５５及び第３ミラー１５６は図示しない第２キヤリッジ上に固定され、原稿像を読み取る時には、光路長が変わらないように、第１キャリッジ第２キャリッジとを２対１の相対速度で原稿面に沿い走行させる（副走査させる）機構を用いる。この動作は、図示しないスキャナ駆動モータの駆動により行われる。
ＡＤＦ読み取りを行う場合には、先に述べたＡＤＦ読み取り位置１２２に対応する固定位置に上記キャリッジを停止させ、読み取りを行う。
いずれの場合にも、光学走査系を介して伝達される原稿画像は、ＣＣＤイメージセンサ１５４によって読み取られ、電気的な画像信号として出力される。
【００１４】
書き込みユニット１５７はレーザ出力ユニット１５８、結像レンズ１５９、ミラー１６０で構成される。レーザ出力ユニット１５８の内部には、レーザ光源であるレーザダイオード及びモータによって高速で定速回転する回転多面鏡（ポリゴンミラー）が備えられている。レーザ出力ユニット１５８より出射されるレーザ光は、定速回転するポリゴンミラーで偏向され、結像レンズ１５９を通り、ミラー１６０で折り返され、感光体１１５面上に集光結像する。
偏向されたレーザ光は感光体１１５が回転する方向と直交する方向（主走査方向）に走査され感光体１１５面を露光し、後述する画像処理ユニット５０２のセレクタ７１１より出力された画像信号の各ラインの記録を行う。
感光体１１５の回転速度と記録密度に対応した所定の周期で主走査を繰り返すことによって、感光体１１５面上に画像（静電潜像）が形成される。
図示しないが感光体１１５の一端近傍にビームセンサが配置され、上述のように、書き込みユニット１５７から出力され画像作像系の感光体１１５に照射される走査レーザビームがビームセンサを照射し、ビームセンサからのビーム検知信号に基づき主走査同期信号が発生される。この主走査同期信号をもとに主走査方向の画像記録開始タイミングの制御、及び後述する画像信号の入出力を行うための制御信号の生成を行う。
【００１５】
次に、読み取りユニット１５０で読み取った画像データから、書き込みユニット１５７に入力する画像データを生成するまでの本例における画像処理ユニット（ＩＰＵ）５０２を中心にした画像データの処理について、詳細に説明する。
図６は、図５に示すＩＰＵ５０２の回路構成を示す概略ブロック図である。
露光ランプ１５１から出射された光は原稿面を照射し、原稿面からの反射光を結像レンズ（図示せず）によりＣＣＤイメージセンサ１５４の受光面上に結像させることにより原稿画像が読み取られる。図６に示すように、ＣＣＤ６０１（図１のＣＣＤイメージセンサ１５４に相当）により受光され光電変換されたアナログ画像信号はＡ／Ｄコンバータ６０２にてデジタル信号に変換される。デジタル信号に変換された画像信号は、２色分離、シェーディング補正処理部６０３で処理が施された後、フィルタ補正、変倍、色データ膨張、γ補正等の補正・画像処理部６０４にて処理される。
また、変換・画像処理部６０５では、画像信号の送り先を、画像メモリコントローラ（ＭＳＵ）６０６又は書き込みユニット６１０（図１の書き込みユニット１５７に相当）へ切り替える。ＭＳＵ６０６と変換・画像処理部６０５は、双方向に画像信号を入出力可能な構成となっている。
【００１６】
なお、図６には特に明示していないが、ＩＰＵ５０２は、読み取りユニット１５０から入力される画像データ以外にも外部から供給される画像データ（例えばパーソナルコンピュータ等のデータ処理装置から出力されるデータ）も処理できるよう、複数データの入出力の選択を行う機能を有する。また、ＩＰＵ５０２には、図６に示すように、ＭＳＵ６０６等への設定や、読み取りユニット１５０、書き込みユニット６１０（図１の書き込みユニット１５７に相当）の制御を行うＣＰＵ６０７及びそのプログラムやデータを格納するＲＯＭ６０９及びＲＡＭ６０８を備える。更に、ＣＰＵ６０７は、ＭＳＵ６０６を介して、後述する画像メモリ８０３のデータの書き込み、読み出しが行える。
【００１７】
図７は、図６に示す変換・画像処理部６０５の内部回路構成をより詳細に示したブロック図である。
変換・画像処理部６０５では、画像補正処理部６０４からの画像データを読み込む時に、領域をマスクするスキャナマスク７０１を介してモードに応じて、色変換をする色変換処理回路７０２、色消去処理回路７０３、画像反転をするビット反転処理回路７０４、ページ、日付、特殊文字等を印字合成する印字合成処理回路７０５を通して画像データを無条件にＭＳＵ７１０（図６のＭＳＵ６０６に相当）にて保存する。なお、印字コア７０６はページ印字のページを作成するほか、スタンプ文字等、文字コードを取り出し印字を作成し、印字イメージデータを発生する装置である。ＲＯＭ７０７及びＲＡＭ７０８は印字コア７０６が上記動作に用いるためのデータを記憶するメモリである。
また、画像データ選択回路７１１は、前段の処理回路７０１〜７０５により処理された画像データをスルーで画質コア７１２に出力するか、ＭＳＵ７１０からの画像データを画質コア７１２に出力するか、ＭＳＵ合成回路７０９の制御により処理回路７０１〜７０５により処理された画像データにＭＳＵ７１０からの画像を合成した画像データを画質コア７１２に出力するかを選択する。
【００１８】
図８、図９は、図７におけるＭＳＵ７１０を詳細に示したブロック図である。なお、図８及び図９は後述するＭＳＵ７１０の動作、即ちメモリへの保存、読み出し動作、をそれぞれ説明するための図で、データのフローを異にするが、同一の回路構成部を示す。
ＭＳＵ７１０の構成を詳細に示す図８（図９）を参照すると、ＭＳＵ７１０は、１次圧縮回路８０１／伸張回路８０２、１次画像データの保存メモリである画像メモリＤＲＡＭ８０３（バンクＡ８０４、バンクＢ８０５）、２次圧縮／伸張回路８０６、大容量のＨＤＤ（ハードディスクドライブ）８０７、伸張された登録画像の画像倍率を変更する変倍回路８０８、ＭＳＵ合成後或いは変倍処理後の画像を回転する回転処理回路８００の各ブロックを有している。各ブロックへの制御データの設定はＣＰＵ６０７（図６、参照）より行われる。
【００１９】
ＭＳＵ７１０の１次記憶装置は、図８（図９）に示すように、例えばＤＲＡＭ８０３等の高速アクセスが可能なメモリを使用し、メモリの指定した領域へのデータ書き込み、又は画像出力時のメモリの指定した領域からのデータ読み出しが画像データの入力／出力時に要求されるデータ転送速度に略同期して行えるようにする。また、この１次記憶装置としてのＤＲＡＭ８０３は、処理を行う画像データの大きさにより複数のエリア、この実施形態ではバンクＡ８０４，バンクＢ８０５、に分割して画像データの入出力を同時に実行可能にする構成（メモリコントローラとのインターフェース部）を有している。
ＭＳＵ７１０の２次記憶装置は、図８（図９）に示すように、例えば、ＨＤＤ８０７等の大容量のメモリを使用し、入力された画像の合成、ソーテイングを行うためにデータを保存しておくようにする。２次記憶装置であるＨＤＤ８０７においても、１次記憶装置であるＤＲＡＭ８０３と同様に、画像入出力時に要求されるデータ転送速度に略同期してデータの書き込み／読み出しを行うことを可能とする。
【００２０】
ここで、上記画像メモリコントローラ（ＭＳＵ）７１０の動作例を図８及び図９により説明する。
［１］画像入力（画像メモリへの保存）動作
図８を参照すると、前段の変換・画像処理部６０５（図６，７参照）により画像加工された画像データ８Ｖ１は無条件にＭＳＵ合成回路７０９に供給され、既に画像メモリに保存され、合成すべきデータとして設定されているデータがある場合、そのデータとの合成を行う。ＭＳＵ合成回路７０９によって処理された画像データは原稿読み取り時に画像回転の指示がある場合、画像データを回転処理回路８００により９０度、又は１８０度、２７０度と回転処理をする。この後、回転された画像データ８Ｖ２を保存するために、１次圧縮回路８０１によりデータ圧縮し、圧縮後のデータを１次記憶装置ＤＲＡＭ８０３に書き込むと同時に２次圧縮／伸張回路８０６で更に圧縮を行った後にＨＤＤ８０７に保存する。
【００２１】
［２］画像出力（画像メモリからの読み出し）動作
この動作は、ＨＤＤ８０７から画像データを読み込み、画像メモリに保存し、伸張、変倍をして出力する処理で、図９を参照してその動作を説明する。１次記憶装置ＤＲＡＭ８０３に記憶されている画像データを読み出して画像出力を行う。出力対象となる画像が１次記憶装置ＤＲＡＭ８０３に格納されている場合には、１次伸張回路８０２でＤＲＡＭ８０３の画像データの伸張を行い、伸張後のデータ、もしくは伸張後のデータと入力データとの画像合成を行った後のデータを出力する。その際、変倍回路８０８により伸張後の画像の倍率を変更可能としている。また、変倍した後の画像データに対して書き込み（プリント出力時のレーザ書き込み）時に画像回転の指示がある場合、画像データを回転処理回路８００により９０度、又は１８０度、２７０度と回転処理をする。この後、ＭＳＵ合成回路７０９は、回転されたＤＲＡＭ８０３の画像データ９Ｖ５と、入力データ８Ｖ１（図８参照）との合成（画像データの位相調整機能を有する）、合成後の画像データの出力先選択（画像出力、ＤＲＡＭ８０３へのライトバック、両方の出力先への同時出力も可能）等の処理を行う。
出力対象となる画像が１次記憶装置ＤＲＡＭ８０３に格納されていない場合には、ＨＤＤ８０７に格納されている出力対象画像データを２次圧縮／伸張回路８０６で伸張を行い、伸張後のデータを１次記憶装置ＤＲＡＭ８０３に書き込んでから、以下、上述の画像出力動作を行う。
【００２２】
また、前記で説明した印字モードにおいて、任意のスタンプ用イメージはユーザが必要に応じて登録できるように構成されている。スタンプイメージ登録モードになるとスキャナからの画像を上述のＨＤＤ８０７に登録しておき、後で、ユーザが必要なスタンプイメージを選択するとこのスタンプイメージデータがＨＤＤ８０７から読み出されてＭＳＵ合成回路７０９に送られて原稿画像に合成される。
本来、原稿画像１枚に対して画像形成枚数が１枚の場合は、あえて画像データを画像メモリに記憶する必要は無いが、要求する画像形成枚数が複数部の場合は、毎回スキャンする必要が無いこと又は、転写紙ジャム等が発生した場合でも、再度原稿を読み込ませる必要が無いことを考慮して、この実施形態ではスキャンして読み込んだ全ての画像は、一旦画像メモリＤＲＡＭ８０３及びＨＤＤ８０７に保存する様になっている。
また、本実施形態の複写機が有する機能として設けた分割機能（図３に示す分割キー３１０の指示により起動）は、見開き原稿のような複数の画像領域を分かち持つ原稿から分割画像を独立の媒体（用紙）に形成する機能であり、原稿画像から各分割画像の形成に用いる画像データを各別に作成する。このために、原稿読み取り時に、分割の指示に応じて、分割複写特有の読み取り動作を行わせるが、さらに、ここでは、原稿読み取りにより得た画像データを一旦格納するＭＳＵ７１０における記憶操作の過程で画像データに対し像回転処理や所定の順序に従って出力を行わせる（分割機能の処理については、下記に詳述）操作を行うことにより、原稿を異なる向きのセット状態にしても、出力される画像を一定の向きにし、また分割画像の出力順序が一定となるようにする。
【００２３】
次に、分割機能に係わる実施形態について詳細に説明する。
なお、下記では、ブック原稿を対象にした例により説明するが、例えば、２  ｉｎ  １の集約複写物（２枚の原稿を１枚の用紙に複写したもの）を原稿として分割コピーを行う（即ち、元の別刷りの状態に復する）場合には、ＡＤＦ読み取りモードにおける分割コピーに適用することが可能であり、この場合にも下記の実施形態と同様に一定の向き、順序の出力処理を実施することができる。
まず、この実施形態における画像分割処理の対象となる“原稿”及び処理結果として得られる“分割画像”について説明する。図１０は、分割処理の対象となる“原稿”、図１１は、処理結果の“分割画像”の一例を示す図である。
図１０を参照すると、同図に示す原稿Ａは、通常の視読状態で見開いた状態のブック原稿を示し、綴じ目を中心にしてその左面をＡ１、右面をＡ２とし、それぞれの画像面を識別できるように異なる図柄を持つものとして示している。ここでは、見開き原稿の左右各面をそれぞれ分割（つまり、原稿を綴じ目で２分割）して、図１１の（Ｉ），（ＩＩ），（ＩＩＩ）に示すように２枚の分割画像を形成した複写物を得る。
例示した原稿Ａは、ブック原稿であるとしているから、コピーを行うときに圧板読み取りモードの動作を行わせるようにするので、ユーザはコピー面がコンタクトガラス１０６に接するように通常の視読状態（原稿Ａの状態）から裏返した状態で原稿をセットする。
本実施形態では、セット状態の自由度を大きくしており、４方向の状態をとり得るようにしている。図１０に示す原稿Ｂ，Ｃ，Ｄ，Ｅは、セット時に原稿がとり得る４状態を示しており、それぞれ上，下，左，右に向けてセットされた場合に当る。
【００２４】
このように、原稿のセット状態をＢ，Ｃ，Ｄ，Ｅとして示すような異なる状態をとり得るようにすると、同一面、例えば左面Ａ１（画像「Ｔ」が描かれた面）をスキャナ走査により読み取る時の有効な読み取り領域は、セット状態によりそれぞれ異なるものとなる。これは、図１０に［走査方向］として示すように、決まった主・副走査方向に行われるスキャナ走査との対応関係により生じることである。
本実施形態は、原稿の向きを上下或いは左右（図１０のＢ，Ｃ，Ｄ，Ｅ）いずれのセット状態をとっても、コピー結果として出力される画像を一定の向きにし、また分割画像の出力順序が一定となるようにする。つまり、原稿をどのようにセットするかによって、見開き原稿の分割方法をセット状態に合わせて変更し、例えば図１１の（Ｉ）〜（ＩＩＩ）に示すような所定の向きで出力させる。
【００２５】
ところで、原稿をセットする向きに応じた上記した動作を行わせるためには、その設定を行う必要がある。本実施形態では、原稿をセットする向きに応じた動作を行わせるモード設定をユーザの操作により行うようにする。
図４は、分割コピーを指示するときに、その動作モードを設定するためのキー入力の操作画面を示す。図４に示す操作画面は、図３に示したコピーの動作モードを設定するための操作画面において、分割キー３１０を押下すると、表示されるＬＣＤタッチパネルの子画面である。
この子画面は、表示機能と操作キーの機能を持ち、図４に示すように、分割コピーの各モード機能キーとして、見開き原稿を片面にコピーする見開き片面モードキー４１１、見開き原稿を両面にコピーする左右ページ両面キー４１２、見開き原稿の第一面を表画像とし、第二面及び２枚目以降の見開き原稿に対して両面コピーし、最終原稿の第二面を裏画像として両面コピーする表裏ページ両面キー４１３を設けている。また、上記した分割コピーの各モードキー４１１〜４１３の設定と同時に、見開き原稿をスキャナにセットする際のセット方向を設定するキーとして、「上」の場合に設定するキー４１４、同様に「下」４１５、「左」４１６、「右」４１７の各キーを設け、原稿をセットする向きに対応した動作を行わせるモード設定を可能にする。
【００２６】
上記のようにして、ユーザのキー操作により分割コピーモードの設定を可能にしたので、ユーザの操作によって原稿の向きを指示して分割コピーが設定されたときには、指示に応じてスキャナによる読み取り方法を変更し、その方法に従う動作を行わせることにより分割処理を実施する。
即ち、図１０に示す例では、原稿Ａの第一面（左面）Ａ１、第二面（右面）Ａ２の順でこの２枚の分割画像に対応する有効な読み取り領域を原稿の向きによって変更・設定する。このように読み取り領域の設定を変えて読み取った画像データに基づいて画像を形成することにより、ページ順が逆になったり、見開き部分で分割出来なかったりすることなくコピー出力を行うことを可能にする。
また、上下（或いは左右でも同様である）の原稿セット状態では原稿が逆向きになるので、上下方向のセットを行った場合に、スキャナにより読み取った画像をそのまま出力に用いると上下で逆向きになるので、一定の向きで画像が形成されなくなったり、さらに、同一サイズであってもスキャナにおける原稿（分割画像）のセット状態と出力する転写紙のセット状態（縦・横の関係）が一致しないと、適正な画像が形成できなかったりする。こうした不具合は、読み取られた画像データを一旦格納する記憶部における記憶操作の過程で画像に対し像回転処理を行うことにより、回避することが可能になる。ここでは、この不具合を防ぐために、像回転処理を適用し、原稿セット状態  Ｂ，Ｃ，Ｄ，Ｅのいずれによっても、コピー出力は、図１１の（Ｉ），（ＩＩ），（ＩＩＩ）に各々示すように、元の原稿Ａの第一面（左面）Ａ１、第二面（右面）Ａ２の順で、又画像方向を一定にして、つまり転写紙が横セット状態の場合（図１１の（Ｉ），（ＩＩＩ））、元の原稿Ａの向きで、また、転写紙が縦セット状態の場合（図１１の（ＩＩ））も、図示のように定める。
【００２７】
原稿セット状態  Ｂ，Ｃ，Ｄ，Ｅ（図１０参照）に対する分割コピーモードの処理について、具体的にその動作を説明する。
「原稿セット状態  Ｂ」
ここでは、例えば、見開き原稿Ａを裏返して原稿Ｂの様な原稿セット状態で２分割のコピー出力（例えば図１１の（Ｉ）或いは（ＩＩＩ））を行う場合を示す。
この分割コピーは、分割コピーモードを設定するための操作画面（図４）において、見開き原稿を片面にコピーする見開き片面モードキー４１１と、セット方向を「上」に設定するキー４１４に対する設定操作により指示される。また、本実施形態は、同時にコピー設定の初期画面（図３）における「変倍」キー３０８に対する入力操作により、指定倍率による変倍モードが指示された場合に対応する分割コピーの形態を示す。
分割コピーの動作モードを上記のような操作により設定した後、原稿Ｂの状態で見開き原稿Ａを読み取り位置にセットして、コピースタートキー２０５を押すとスキャナ読み取りが開始される。原稿Ｂのようなセット状態でスキャナによる読み取りを行った場合、第一面であるＡ１面（画像「Ｔ」が描かれた面）を読み取るために、図１０中に矢印ｂ１で示すようにスキャンして、原稿サイズ検知器１４９（又は１４８）により検知した原稿サイズと方向より見開き原稿の半分を判断して、その結果により半分の原稿サイズを求める。
【００２８】
この半分の原稿サイズを求めた結果は、設定操作により入力された原稿のセット方向（図４の画面における「上」キー４１４により設定）データとともに、第一面（画像「Ｔ」が描かれた面）に対応する有効な読み取り領域を定めるために用いられる。
また、倍率が設定されている場合には、この半分の原稿サイズを求めた結果と設定された倍率から、分割画像を納めることが可能な最適な転写紙サイズを判断する。
原稿のスキャンを図１０中における矢印ｂ１によって行い、有効な読み取り領域として定めた第一面（画像「Ｔ」が描かれた面）に対応する画像データを読み取った後、この読み取り画像データに基づいて、ページ画像データを生成する。このときに、変倍設定が指示されている場合には、設定された倍率に従って変倍回路８０８（図９参照）により変倍処理を行う。
次いで、生成されたページ画像データを画像形成プロセスの作像（書き込み）用の信号として出力し、この信号により画像形成プロセスで画像形成（作像）処理が施され、得られる転写紙は、第一面の分割コピー結果（図１１のＡ１−（Ｉ），Ａ１−（ＩＩＩ））として出力される。
原稿の第二面は、見開き原稿の残りの半分を有効な読み取り領域として定め、即ち、図１０中に矢印ｂ２で示すような範囲をスキャンして、原稿読み取りを行う。第二面において、原稿読み取りから画像形成プロセスにおける画像形成（作像）処理までのコピー出力に必要な処理は、第一面と同様に行うことができ、第二面の分割コピー結果（図１１のＡ２−（Ｉ），Ａ２−（ＩＩＩ））として出力される。
【００２９】
「原稿セット状態  Ｃ」
次に、例えば、見開き原稿Ａを裏返して原稿Ｃの様な原稿セット状態で２分割のコピー出力（例えば図１１の（Ｉ）或いは（ＩＩＩ））を行う場合を示す。
この分割コピーは、分割コピーモードを設定するための操作画面（図４）において、見開き原稿を片面にコピーする見開き片面モードキー４１１と、セット方向を「下」に設定するキー４１５に対する設定操作により指示される。
分割コピーの動作モードを上記のような操作により設定した後、原稿Ｃの状態で見開き原稿Ａを読み取り位置にセットして、コピースタートキー２０５を押すとスキャナ読み取りが開始される。このとき、半分の原稿サイズを求めるために、上記実施形態（原稿セット状態Ｂ）と同様のスキャン動作を行う。
求めた半分の原稿サイズ及び設定操作により入力された原稿のセット方向（図４の画面における「下」キー４１５により設定）データを受けて、有効な読み取り領域を図１０中に矢印ｃ１で示す領域として定め、第一面（画像「Ｔ」が描かれた面）に対応する画像データを読み取る。このように原稿のセット方向が「下」と指示されたときに、「上」の場合と分けて、それぞれに適合する有効な読み取り領域を設定することにより、出力順序を一定に、即ち、第一面（画像「Ｔ」が描かれた面）を先に出力可能となる。なお、従来は、原稿セット状態Ｂで常にセットされるという仮定の下に、動作が一つに定められていたために、ユーザが誤って原稿セット状態Ｃの様にセットした場合、ページ順が狂う結果になっていたが、本実施形態では、そうした不具合をなくすことが可能になる。
【００３０】
また、見開き原稿を原稿Ｃの様な逆さまの原稿セット状態にセットした場合、上記のように、出力順序を一定に、即ち、第一面（画像「Ｔ」が描かれた面）を先に出力するために、有効な読み取り領域の設定を変更することにより対応することができるが、原稿画像は逆さまのため、出力画像の向きは一定（見開き原稿Ａの元の状態）にならない。
そこで、画像の向きを見開き原稿Ａの元の状態で出力するために次の方法を用いる。この方法は、原稿Ｃの様に逆さまの原稿セット状態で読み取った画像に対して、出力画像を１８０度回転して出力する機能を適用することにより、この解決を図るものである。具体化手段としては、読み取り画像データに基づいて、ページ画像データを生成する過程で、スキャナ読み取り画像を一旦格納する記憶手段（図８，９におけるＤＲＡＭ８０３、ＨＤＤ８０７）へ入力する際、或いは該記憶手段から出力する際に、原稿のセット方向（図４の画面における「下」キー４１５により設定）データを受けて行なわれる回転回路８００（図８，９参照）への１８０度回転の指示によりにより像回転処理を行う。
なお、ページ画像データを生成する過程で行う変倍処理、さらに、生成されたページ画像データに基づいて行う画像形成プロセスは、上記実施形態（原稿セット状態Ｂ）と同様に行う。
原稿の第二面は、見開き原稿の残りの半分を有効な読み取り領域として定め、即ち、図１０中に矢印ｃ２で示すような範囲をスキャンして、原稿読み取りを行う。第二面において、原稿読み取りから画像形成プロセスにおける画像形成（作像）処理までのコピー出力に必要な処理は、第一面と同様に行うことが可能であり、その処理には、出力画像を１８０度回転して出力する上記したと同様の像回転処理が含まれる。
【００３１】
「原稿セット状態  Ｄ」
次に、例えば、見開き原稿Ａを裏返して原稿Ｄの様な原稿セット状態で２分割のコピー出力（例えば、図１１の（Ｉ）或いは（ＩＩ））を行う場合を示す。この分割モード設定は、Ａ２サイズの原稿を読み取ることができる複写機におけるように、Ａ３サイズの原稿は縦でも横でも読み取ることが可能な場合に想定される、原稿Ｄの様な原稿セット状態で、主走査方向に原稿画像を分割することを意図したものである。
この分割コピーは、分割コピーモードを設定するための操作画面（図４）において、見開き原稿を片面にコピーする見開き片面モードキー４１１と、セット方向を「左」に設定するキー４１６に対する設定操作により指示される。
分割コピーの動作モードを上記のような操作により設定した後、原稿Ｄの状態で見開き原稿Ａを読み取り位置にセットして、コピースタートキー２０５を押すとスキャナ読み取りが開始される。原稿Ｄのようなセット状態でスキャナによる読み取りを行った場合、第一面であるＡ１面第一面（画像「Ｔ」が描かれた面で、この場合には、主走査方向に２分割された面の一方）を読み取るために、図１０中に矢印ｄ１で示すようにスキャンして、原稿サイズ検知器１４９（又は１４８）により検知した原稿サイズと方向より見開き原稿の半分を判断して、その結果により半分の原稿サイズを求める。例えば、Ａ３サイズの原稿である場合、スキャンにより検知したサイズによりＡ３横原稿を検知し、見開き原稿のため、第一面はＡ４縦と認識する。
【００３２】
この半分の原稿サイズを求めた結果は、設定操作により入力された原稿のセット方向（図４の画面における「左」キー４１６により設定）データとともに、第一面（画像「Ｔ」が描かれた面）に対応する有効読み取り領域を定めるために用いられる。この有効読み取り領域は、主走査方向に２分した領域の一方が原稿のセット方向に応じて指示される。
原稿のスキャンを図１０中における矢印ｄ１によって行い、主走査方向に２分した有効読み取り領域の一方として定めた第一面（画像「Ｔ」が描かれた面）に対応する画像データを読み取った後、この読み取り画像データに基づいて、ページ画像データを生成する。
次いで、生成されたページ画像データを画像形成プロセスの作像（書き込み）用の信号として出力し、この信号により画像形成プロセスで画像形成（作像）処理が施され、得られる転写紙は、第一面の分割コピー結果（図１１のＡ１−（ＩＩ））として出力される。
原稿の第二面は、見開き原稿の残りの半分を有効な読み取り領域として定め、即ち、図１０中に矢印ｄ２で示すような範囲をスキャンして、原稿読み取りを行う。第二面において、原稿読み取りから画像形成プロセスにおける画像形成（作像）処理までのコピー出力に必要な処理は、第一面と同様に行うことができ、第二面の分割コピー結果（図１１のＡ２−（ＩＩ））として出力される。
【００３３】
ところで、上記のコピー出力では、原稿セット状態  Ｄに対する転写紙のセット状態（図１１（ＩＩ）の縦セット状態）が整合しており、スキャナ読み取り画像をそのまま用いて、適性な出力を行うことが可能な場合の動作を示した。
しかしながら、原稿セット状態  Ｄに対する転写紙のセット状態が整合していない場合、即ち、転写紙が図１１（Ｉ）に示すような横セット状態の場合には、スキャナにおける原稿（分割画像）のセット状態と出力する転写紙のセット状態が一致せず、適正な画像が形成できないという、不都合が生じる。
そこで、原稿セット状態  Ｄで読み取った画像に対して、出力画像を９０度回転して出力する機能を適用することにより、この不都合が生じないようにする。具体的には、読み取り画像データに基づいて、ページ画像データを生成する過程で、スキャナ読み取り画像を一旦格納する記憶手段（図８，９におけるＤＲＡＭ８０３、ＨＤＤ８０７）へ入力する際、或いは該記憶手段から出力する際に、原稿のセット方向（図４の画面における「左」キー４１６により設定）データを受けて行なわれる回転回路８００（図８，９参照）への９０度回転の指示によりにより像回転処理を行い、画像形成用のデータを生成し、第一、第二面の各分割コピー結果（図１１のＡ１−（Ｉ）  ，Ａ２−（Ｉ））として出力される。
【００３４】
「原稿セット状態  Ｅ」
次に、例えば、見開き原稿Ａを裏返して原稿Ｅの様な原稿セット状態で２分割のコピー出力（例えば図１１の（Ｉ）或いは（ＩＩ））を行う場合を示す。
この分割コピーは、分割コピーモードを設定するための操作画面（図４）において、見開き原稿を片面にコピーする見開き片面モードキー４１１と、セット方向を「右」に設定するキー４１７に対する設定操作により指示される。
分割コピーの動作モードを上記のような操作により設定した後、原稿Ｅの状態で見開き原稿Ａを読み取り位置にセットして、コピースタートキー２０５を押すとスキャナ読み取りが開始される。このとき、半分の原稿サイズを求めるために、上記実施形態「原稿セット状態  Ｄ」と同様のスキャン動作を行う。
求めた半分の原稿サイズ及び設定操作により入力された原稿のセット方向（図４の画面における「右」キー４１７により設定）データを受けて、有効な読み取り領域を図１０中に矢印ｅ１で示す領域として定め、第一面（画像「Ｔ」が描かれた面で、この場合には、主走査方向に２分割された面の一方）に対応する分割画像データを読み取る。このように原稿のセット方向が「右」と指示されたときに、「左」の場合と分けて、それぞれに適合する有効な読み取り領域を設定することにより、出力順序を一定に、即ち、第一面（画像「Ｔ」が描かれた面）を先に出力可能となる。
【００３５】
このように、出力順序を一定に、即ち、第一面（画像「Ｔ」が描かれた面）を先に出力するために、有効読み取り領域の設定変更により対応することができるが、見開き原稿を原稿Ｅの様に原稿Ｄとは逆の原稿セット状態にセットした場合、原稿画像は逆さまのため、出力画像の向きは一定にならない。
そこで、画像の向きを一定にして出力する（図１１（ＩＩ）の状態）ために次の方法を用いる。この方法は、逆さまの原稿セット状態  Ｅで読み取った画像に対して、出力画像を１８０度回転して出力する機能を適用することにより、この解決を図る。
具体的には、読み取り画像データに基づいて、ページ画像データを生成する過程で、上記と同様に、スキャナ読み取り画像を一旦格納する記憶手段へ入力する際、或いは該記憶手段から出力する際に、原稿のセット方向（図４の画面における「右」キー４１７により設定）データを受けて行なわれる回転回路８００（図８，９参照）への１８０度回転の指示によりにより像回転処理を行う。
【００３６】
また、原稿セット状態  Ｅに対する転写紙の縦・横セット状態が整合していない場合、即ち、転写紙が図１１（Ｉ）に示すような横セット状態の場合には、スキャナにおける原稿（分割画像）のセット状態と出力する転写紙のセット状態が一致せず、適正な画像が形成できないという、不都合が生じる。
そこで、原稿セット状態  Ｅで読み取った画像に対して、出力画像を９０度回転して出力する機能を適用し、画像の向きを一致させることにより、この不都合が生じないようにする。具体的な方法は、上記した画像の向きを一定にするために用いたと同様の像回転処理を行い、画像形成用のデータとして出力する。なお、原稿セット状態  に対する転写紙の縦・横セット状態の整合を図るために行うこの像回転は、原稿セット状態  Ｅの場合と、原稿セット状態  Ｄの場合とでは、９０度回転を行うが、回転させる方向は逆になる。
原稿の第二面は、見開き原稿の残りの半分を有効な読み取り領域として定め、即ち、図１０中に矢印ｅ２で示すような範囲をスキャンして、原稿読み取りを行う。第二面において、原稿読み取りから画像形成プロセスにおける画像形成（作像）処理までのコピー出力に必要な処理は、第一面と同様に行うことが可能である。
【００３７】
【発明の効果】
（１）  請求項１，３の発明に対応する効果
原稿の分割領域の画像形成が可能な複写機等の画像形成装置において、原稿サイズ及び設定された原稿の方向によって各分割領域に対応する読み取り領域を指示し、また設定された原稿の方向によって読み取られた原稿画像を回転させ、画像形成に用いる画像として出力するようにしたことにより、複数の方向（上下，左右といった４方向）の原稿セット状態をとっても、出力される画像を正常な分割画像とし、かつ一定の向きで排出することが可能になるので、当該画像形成装置の高機能化及び利便性の向上を図ることができる。
（２）  請求項２の発明に対応する効果
原稿画像の回転を記憶手段に対する書込み・読み出し操作の過程で行うようにしたので、簡単な手段により上記（１）の効果が実現できる。
【００３８】
（３）  請求項４の発明に対応する効果
原稿セット状態が互いに反対を向く原稿に対して、各分割画像の出力順序を逆にしたことにより、複数の方向（上下，左右といった４方向）の原稿セット状態をとっても、一定の順序（原稿のページ順）に出力され、利便性の向上を図ることが可能になる。
（４）  請求項５の発明に対応する効果
分割画像と変倍を同時に指示した場合に対応する処理を行うことを可能にしたので、変倍モードにおいて上記（１）〜（３）の効果が実現でき、当該画像形成装置のパフォーマンスの向上を図ることができる。
【図面の簡単な説明】
【図１】本発明の実施形態としての複写機の全体構成を概略図として示す。
【図２】図１の複写機にユーザが指令入力を行う操作部を示す図である。
【図３】図２の操作部におけるモード設定時の液晶タッチパネルの入力画面を示す。
【図４】図２の操作部における分割モード設定時の液晶タッチパネルの入力画面を示す。
【図５】本発明の実施形態としての複写機のメインコントローラ（ＭＣＵ）を中心とする制御装置の概略ブロック図を示す。
【図６】図５に示す画像処理部（ＩＰＵ）の回路構成を示す概略ブロック図である。
【図７】図６に示す変換・画像処理部６０５の回路構成をより詳細に示したブロック図である。
【図８】画像メモリコントローラ（ＭＳＵ）の回路構成とその画像入力動作を説明する図である。
【図９】画像メモリコントローラ（ＭＳＵ）の回路構成とその画像出力動作を説明する図である。
【図１０】分割処理の対象となる見開き原稿Ａと、セット状態の各原稿  Ｂ，Ｃ，Ｄ，Ｅを説明するための図である。
【図１１】見開き原稿Ａ（図１０）の分割コピー結果（Ｉ），（ＩＩ），（ＩＩＩ）の各形態を示す図である。
【符号の説明】
１０１…自動原稿送り装置（ＡＤＦ）、  １０６…コンタクトガラス、
１１５…感光体、                      １１６…搬送ベルト、
１１７…定着ユニット、              １１８…排紙ユニット、
１１９…排紙トレイ、                １２０…原稿台、
１２１…反転トレイ、                １２２…読み取り位置、
１２３…排紙トレイ、                １０４…給送ベルト、
１３０…反転切り替え爪、    １４８，１４９…原稿サイズ検知器、
１５０…読み取りユニット、          １５１…露光ランプ、
１５２…第１ミラー、                １５３…レンズ、
１５４…ＣＣＤイメージセンサ、      １５５…第２ミラー、
１５６…第３ミラー、                １５７…書き込みユニット、
１５８…レーザ出力ユニット、        １５９…結像レンズ、
１６０…ミラー、                    １６１…両面給紙ユニット、
１６２…両面分岐爪、                １６３…排紙口分岐爪、
１６４…後処理装置、                １７０…現像ユニット、
１９３…原稿セット検知手段、        ２０１…ＬＣＤタッチパネル、
２０２…テンキー、                  ２０３…初期設定キー、
２０５…プリント（スタート）キー、  ２０６…クリア／ストップキー、
３１０…分割キー、                  ４１１…見開き片面モードキー、
４１２…左右ページ両面モードキー、  ４１３…表裏ページ両面モードキー、
４１４…「上」セット方向指示キー、  ４１５…「下」セット方向指示キー、
４１６…「左」セット方向指示キー、  ４１７…「右」セット方向指示キー、
５０１…メインコントローラ（ＭＣＵ）、
５０２…画像処理ユニット（ＩＰＵ）、  ５０６…Ｉ／Ｏボード、
５０７…自動原稿送り装置（ＡＤＦ）、
６０６，７１０…画像メモリコントローラ（ＭＳＵ）。
【図１】
2004320581.tif 000003
【図２】
2004320581.tif 000004
【図３】
2004320581.tif 000005
【図４】
2004320581.tif 000006
【図５】
2004320581.tif 000007
【図６】
2004320581.tif 000008
【図７】
2004320581.tif 000009
【図８】
2004320581.tif 000010
【図９】
2004320581.tif 000011
【図１０】
2004320581.tif 000012
【図１１】
2004320581.tif 000013